(57)【要約】【課題】本発明は、通信距離を落とすことなくセンサ機能を動作させることが可能なＲＦＩＤ用のＩＣチップ及びＲＦＩＤシステムを提供することを目的とする。【解決手段】集積回路チップは、アンテナに結合され該アンテナからの交流電圧を直流電圧に変換するよう機能する整流回路と、該整流回路に結合され該直流電圧で動作する不揮発性メモリと、該整流回路に結合され該直流電圧で動作し所定のデータを測定するセンサ回路と、該不揮発性メモリのアクセス動作と該センサ回路のデータ測定動作とが同時に実行されないように該不揮発性メモリと該センサ回路とを制御するロジック回路を含むことを特徴とする。【選択図】図１
2007122600.tif 000002
【特許請求の範囲】
【請求項１】
アンテナに結合され該アンテナからの交流電圧を直流電圧に変換するよう機能する整流回路と、
該整流回路に結合され該直流電圧で動作する不揮発性メモリと、
該整流回路に結合され該直流電圧で動作し所定のデータを測定するセンサ回路と、
該不揮発性メモリのアクセス動作と該センサ回路のデータ測定動作とが同時に実行されないように該不揮発性メモリと該センサ回路とを制御するロジック回路
を含むことを特徴とする集積回路チップ。
【請求項２】
該不揮発性メモリの該アクセス動作は該不揮発性メモリに対するデータ書き込み動作であることを特徴とする請求項１記載の集積回路チップ。
【請求項３】
該ロジック回路は、該アンテナから受信した所定のコマンドに応答して、該センサ回路に該データ測定動作を実行させ、該データ測定動作が終了した後に、該不揮発性メモリに該データ測定動作により得られた測定データを書き込む該アクセス動作を実行することを特徴とする請求項２記載の集積回路チップ。
【請求項４】
該ロジック回路は、該データ測定動作により得られた該測定データを一時的に保持するレジスタを含むことを特徴とする請求項３記載の集積回路チップ。
【請求項５】
該センサ回路が該データ測定動作を実行することにより消費する電力は該不揮発性メモリが該アクセス動作を実行することにより消費する電力よりも小さいことを特徴とする請求項１記載の集積回路チップ。
【請求項６】
電波を送受信するリーダ・ライタと、
該リーダ・ライタと該電波を介して通信するＩＣタグ
を含み、該ＩＣタグは、
アンテナと、
該アンテナに結合され該アンテナが受信した該電波の交流電圧を直流電圧に変換するよう機能する整流回路と、
該整流回路に結合され該直流電圧で動作する不揮発性メモリと、
該整流回路に結合され該直流電圧で動作し所定のデータを測定するセンサ回路
を含み、該不揮発性メモリのアクセス動作と該センサ回路のデータ測定動作とが同時に実行されないように制御されることを特徴とするＲＦＩＤシステム。
【請求項７】
該リーダ・ライタは、第１の所定のコマンドを該ＩＣタグに送信して該センサ回路に該データ測定動作を実行させ、該データ測定動作が終了した後に、第２の所定のコマンドを該ＩＣタグに送信して該不揮発性メモリに該データ測定動作により得られた測定データを書き込む該アクセス動作を実行させることを特徴とする請求項６記載のＲＦＩＤシステム。
【請求項８】
リーダ・ライタとの間で電波を送受信するＩＣタグにおいて、
アンテナと、
該アンテナに結合され該アンテナが受信した該電波の交流電圧を直流電圧に変換するよう機能する整流回路と、
該整流回路に結合され該直流電圧で動作する不揮発性メモリと、
該整流回路に結合され該直流電圧で動作し所定のデータを測定するセンサ回路
を含み、該不揮発性メモリのアクセス動作と該センサ回路のデータ測定動作とが同時に実行されないように制御されることを特徴とするＩＣタグ。
【請求項９】
該不揮発性メモリの該アクセス動作は該不揮発性メモリに対するデータ書き込み動作であることを特徴とする請求項８記載のＩＣタグ。
【請求項１０】
該データ測定動作により得られた測定データを一時的に保持するレジスタを更に含むことを特徴とする請求項９記載のＩＣタグ。
【発明の詳細な説明】
【技術分野】
【０００１】
本発明は、一般に集積回路チップに関し、詳しくはＲＦＩＤ用の集積回路チップ及びＲＦＩＤシステムに関する。
【背景技術】
【０００２】
ＲＦＩＤ（Radio  Frequency  Identification）は、情報を記録する記録媒体として機能するＩＣチップ（集積回路チップ）を備えたＩＣタグに対して、無線通信を介してＩＤ情報を読み書きするシステムである。例えば物品管理に利用されているバーコード等をＲＦＩＤに置き換えれば、人手によるバーコード等の読み取り作業が不要になり、物品管理の効率を飛躍的に向上させることができる。
【０００３】
またＲＦＩＤは、物品を識別する目的以外への様々な分野への応用が期待されている。特に、ＩＣタグが置かれている環境の状態を計測するセンサ機能を追加したＲＦＩＤは、物品の製造過程（生産過程）の履歴の記録、流通過程での管理状態の履歴の記録等にも利用することができる。
【０００４】
例えば、生鮮食料品等に温度センサ付のＲＦＩＤタグを付けて、流通過程や加工過程における温度変化の履歴を記録すれば、鮮度・品質をきめ細かく管理することが可能となる。これにより、商品の品質劣化等の問題を改善することが可能となり、安全で品質の高い商品を提供することができる。このようにＲＦＩＤに組み込まれるセンサの種類は、温度センサに限らず、３軸センサ、圧力センサ、加速度センサ等が考えられる。
【０００５】
このようなセンサ付きＲＦＩＤを実現するためには、既存のＲＦＩＤ機能にセンサ機能や測定データ処理機能等を含めた回路を、１チップで実現する必要がある。しかし、ひとつのチップにＲＦＩＤ機能とセンサ機能とを実装するためには、高度なアナログ・デジタル混載技術が必要になるとともに、消費電力の問題を解決する必要がある。
【０００６】
ＲＦＩＤの性能は一般に、通信速度及び通信距離等で表される。通信速度については、標準化により一定の通信速度を実現することが要求されるので、通信距離の違いがＲＦＩＤ用チップの性能差として現れる。通信距離を大きくするためにＲＦＩＤ用チップに要求されることは、可能な限りチップ内部での消費電力を小さくすることである。
【０００７】
ＩＣタグには、内蔵バッテリーを電力源として動作する能動型と、バッテリーを有さずに外部から供給される磁界や電界を電力源として動作する受動型とがある。受動型は、長距離の通信には適さないが、バッテリーを有さない分だけ小型で低価格な構成とすることができる。
【０００８】
受動型のＲＦＩＤチップでは、外部のリーダ・ライタから発信される電磁波を受信して電力に変換し、チップ内部のキャパシタに電力を蓄えてチップ動作用電源として使用する。従って、チップ内部での消費電力が小さいほど、受信する電磁波電力は小さくてよく、長い通信距離を実現することができる。センサ機能付のＲＦＩＤ用チップの場合には、ＲＦＩＤ機能用の回路に加えて更にセンサ機能用の回路が電力を消費するので、所望の通信距離を維持することが困難となる。
【特許文献１】特開２００４−１６４０５０号公報
【発明の開示】
【発明が解決しようとする課題】
【０００９】
以上を鑑みて、本発明は、通信距離を落とすことなくセンサ機能を動作させることが可能なＲＦＩＤ用のＩＣチップ及びＲＦＩＤシステムを提供することを目的とする。
【課題を解決するための手段】
【００１０】
本発明による集積回路チップは、アンテナに結合され該アンテナからの交流電圧を直流電圧に変換するよう機能する整流回路と、該整流回路に結合され該直流電圧で動作する不揮発性メモリと、該整流回路に結合され該直流電圧で動作し所定のデータを測定するセンサ回路と、該不揮発性メモリのアクセス動作と該センサ回路のデータ測定動作とが同時に実行されないように該不揮発性メモリと該センサ回路とを制御するロジック回路を含むことを特徴とする。
【００１１】
本発明によるＲＦＩＤシステムは、電波を送受信するリーダ・ライタと、該リーダ・ライタと該電波を介して通信するＩＣタグを含み、該ＩＣタグは、アンテナと、該アンテナに結合され該アンテナが受信した該電波の交流電圧を直流電圧に変換するよう機能する整流回路と、該整流回路に結合され該直流電圧で動作する不揮発性メモリと、該整流回路に結合され該直流電圧で動作し所定のデータを測定するセンサ回路を含み、該不揮発性メモリのアクセス動作と該センサ回路のデータ測定動作とが同時に実行されないように制御されることを特徴とする。
【発明の効果】
【００１２】
本発明の少なくとも１つの実施例によれば、センサ回路のデータ測定動作と、一般に最大の電力消費源である不揮発性メモリのアクセス動作とを制御して、これらの動作が互いに時間的に重ならないようにすることにより、センサ付ＲＦＩＤ用チップの時間毎の消費電力が不揮発性メモリによる電力消費量よりも増加するのを避けることができる。従って、センサ回路が設けられていない場合と比較して通信距離を落とすことなく、センサ機能をセンサ付ＲＦＩＤ用チップに内蔵して動作させることができる。
【発明を実施するための最良の形態】
【００１３】
以下に、本発明の実施例を添付の図面を用いて詳細に説明する。
【００１４】
図1は、ＲＦＩＤシステムの構成例及びセンサ付ＲＦＩＤ用チップの構成の一例を示す図である。図１に示すＲＦＩＤシステムは、アンテナコイル１００、センサ付ＲＦＩＤ用チップ２００、リーダ・ライタ３００を含む。アンテナコイル１００はセンサ付ＲＦＩＤ用チップ２００に外付けされる。センサ付ＲＦＩＤ用チップ２００は、アンテナコイル１００を介して、リーダ・ライタ３００から電波を受信してその受信電力を電源として用いて動作するとともに、リーダ・ライタ３００と無線通信を行なうことにより識別情報やセンサ情報等をやり取りする。
【００１５】
センサ付ＲＦＩＤ用チップ２００は、アンテナコイル１００を接続するためのアンテナ端子１０、整流回路１２、不揮発性メモリ１４、センサ回路１６、ロジック回路１８、データ制御回路２２、及び電源制御回路３０を含む。
【００１６】
アンテナコイル１００は無線を介した非接触による電力・信号受信のために設けられる。アンテナコイル１００が受信する信号は、整流回路１２及びデータ制御回路２２に供給される。即ち、アンテナコイル１００が受信する電波には、整流回路１２を介して電力を供給する目的の電波だけではなく、情報の通信目的にＡＭ変調された信号やクロック信号等が重畳されている。アンテナコイル１００で受信した電力は、アンテナ自身のインダクタンスLと並列に接続された共振コンデンサＣ１とによる共振作用により昇圧され、交流電圧として整流回路１２に供給される。
【００１７】
整流回路１２は、アンテナコイル１００から供給される交流電圧を整流して直流電圧を生成する。整流回路１２が生成した直流電圧は、電源制御回路３０を介して、不揮発性メモリ１４、センサ回路１６、及びロジック回路１８に電源電圧として供給される。平滑キャパシタＣ２及びＣ３は、整流回路１２により生成される直流電圧に応じて電荷を蓄積することで、整流された電圧を平滑化し、安定した電源電圧を供給するよう機能する。電源制御回路３０は、不揮発性メモリ１４、センサ回路１６、及びロジック回路１８の動作電源を制御する。なお図示を省略するが、データ制御回路２２もまた整流回路１２が生成した電源電圧により動作する。
【００１８】
ロジック回路１８は、センサ付ＲＦＩＤ用チップ２００全体の動作を制御する。センサ回路１６は、例えば温度センサであり、センサ付ＲＦＩＤ用チップ２００の置かれた環境の温度を測定する。不揮発性メモリ１４は、フラッシュメモリ、強誘電体メモリ等、電源ＯＦＦ状態においてデータを保持可能なメモリである。不揮発性メモリ１４には、センサ付ＲＦＩＤ用チップ２００の識別情報、センサの測定データ等が格納される。
【００１９】
データ制御回路２２は、データ復調回路２４、データ変調回路２６、及びクロック抽出回路２８を含む。データ復調回路２４は、アンテナコイル１００を介してリーダ・ライタ３００から供給される変調信号からデータ信号を復調する。復調されたデータ信号は、ロジック回路１８に供給される。
【００２０】
データ変調回路２６は、ロジック回路１８からのデータ信号を変調して、変調信号をアンテナコイル１００に供給する。これにより、リーダ・ライタ３００に対するデータ送信が行なわれる。クロック抽出回路２８は、アンテナコイル１００を介してリーダ・ライタ３００から供給される信号の搬送波をクロック信号として抽出する。この抽出されたクロック信号は、ロジック回路１８に供給される。
【００２１】
図２は、ロジック回路１８の構成の一例を示す構成図である。図２に示すロジック回路１８は、制御回路４１、入出力回路４２、データ処理回路４３、メモリＩＦ回路４４、センサＩＦ回路４５、及びＣＬＫ生成回路４６を含む。制御回路４１は、入出力回路４２、データ処理回路４３、メモリＩＦ回路４４、及びセンサＩＦ回路４５の動作を制御する。
【００２２】
クロック抽出回路２８（図１参照）から供給されるクロック信号は、ＣＬＫ生成回路４６に供給される。ＣＬＫ生成回路４６は、例えば供給されたクロック信号を分周することにより、センサ付ＲＦＩＤ用チップ２００の各回路部分が同期して動作するためのクロック信号を生成する。
【００２３】
データ復調回路２４（図１参照）からの復調信号は入出力回路４２により検知され、検知後のデータがデータ処理回路４３に供給される。データ処理回路４３は、供給されたデータを処理することで、このデータが指示するコマンド等を認識する。データ処理回路４３は、受信コマンドを特定する信号を制御回路４１に供給する。これに応じて制御回路４１が、受信コマンドに従った制御動作を実行する。
【００２４】
メモリＩＦ回路４４は、不揮発性メモリ１４（図１参照）に対するデータの読み書きを実行するためのインターフェース回路である。またセンサＩＦ回路４５は、センサ回路１６（図１参照）に対するデータ測定を指示したり、センサ回路１６からの測定データを受け取ったりするためのインターフェース回路である。
【００２５】
データ処理回路４３は、入出力回路４２を介してリーダ・ライタ３００側から供給されたデータ、センサ回路１６からセンサＩＦ回路４５を介して受け取ったデータ、或いは不揮発性メモリ１４からメモリＩＦ回路４４を介して受け取ったデータを内部レジスタに一次的に保持することができる。制御回路４１は、コマンドに従った制御動作を実行することにより、データ処理回路４３のレジスタのデータを、メモリＩＦ回路４４を介して不揮発性メモリ１４に書き込んだり、入出力回路４２及びデータ変調回路２６を介してリーダ・ライタ３００側に送信したりする。
【００２６】
図３は、リーダ・ライタ３００の構成の一例を示す構成図である。図３のリーダ・ライタ３００は、アンテナコイル５１、出力モジュール５２、変調器５３、発信器５４、フィルタ５５、増幅器５６、復調器５７、制御器５８、クロック抽出器５９、入出力ＩＦ回路６０を含む。
【００２７】
制御器５８が、入出力ＩＦ回路６０を介して外部（操作者或いはホスト装置）から送信データを受け取ると、変調器５３に送信データを供給する。変調器５３は、送信データを変調して変調データ信号を生成し、出力モジュール５２に供給する。出力モジュール５２は、変調データ信号をアンテナコイル５１を介して送信する。この送信された信号は、センサ付ＲＦＩＤ用チップ２００によりアンテナコイル１００で受信される。
【００２８】
逆にセンサ付ＲＦＩＤ用チップ２００から送信された信号は、リーダ・ライタ３００によりアンテナコイル５１で受信される。受信信号は、フィルタ５５によりフィルタ処理され、増幅器５６により増幅され、更に復調器５７により復調される。復調後の信号は、制御器５８により入出力ＩＦ回路６０を介して外部（操作者或いはホスト装置）に受信データとして供給される。
【００２９】
このようにしてリーダ・ライタ３００とセンサ付ＲＦＩＤ用チップ２００との間で無線通信により両方向にデータ転送することができる。センサ付ＲＦＩＤ用チップ２００からのデータはホスト装置（例えばコンピュータ）側に転送され、またセンサ付ＲＦＩＤ用チップ２００へのコマンド等のデータもホスト装置（例えばコンピュータ）側から転送されたものでよい。また或いは携帯型のリーダ・ライタ３００であれば、センサ付ＲＦＩＤ用チップ２００からのデータは例えばリーダ・ライタ３００が備える画面への表示により操作者に対して提示され、またセンサ付ＲＦＩＤ用チップ２００へのコマンド等のデータもリーダ・ライタ３００が備えるキーパッドから操作者が入力したものであってよい。
【００３０】
本発明においては、図１乃至図３に例示したようなセンサ付ＲＦＩＤ用チップ２００及びリーダ・ライタ３００を用い、センサ付ＲＦＩＤ用チップ２００のセンサ回路１６によりデータを測定し、測定したデータを不揮発性メモリ１４に記録する。またセンサ回路１６からの測定データ又は不揮発性メモリ１４に格納されている測定データをセンサ付ＲＦＩＤ用チップ２００からリーダ・ライタ３００で読み出す。
【００３１】
この際、センサ回路１６のセンシング動作と、一般に最大の電力消費源である不揮発性メモリ１４のアクセス動作とは、同時に実行されることがないように制御される。具体的には、センサ回路１６によるデータ測定動作と不揮発性メモリ１４への書き込み動作とが、同時に行われないように、各動作のタイミングが制御される。このタイミング制御は、ロジック回路１８により実現されてよいし、またリーダ・ライタ３００から供給するコマンド操作により実現されてよい。なお不揮発性メモリ１４からの読み出し動作についても、センサ回路１６によるデータ測定動作と同時に行われないように制御してよいことは当然である。
【００３２】
センサ付ＲＦＩＤ用チップ２００のセンサは、例えば温度センサであってよい。この場合、センサ付ＲＦＩＤ用チップ２００は、生鮮食料品（野菜、肉、牛乳等）の出荷前に生鮮食料品に取り付けられてよい。これにより出荷後の流通過程において、生鮮食料品の温度が随時測定され、センサ付ＲＦＩＤ用チップ２００内のメモリに測定結果が順次記憶される。温度測定は、生鮮食料品の輸送中のトラックの荷台、生鮮食料品を保管する倉庫内、商店のショーケース内等で行なえばよい。具体的には、これらの温度測定位置において、リーダ・ライタ３００から温度測定要求を無線で送信し、センサ付ＲＦＩＤ用チップ２００がこの要求に応答して温度を測定する。
【００３３】
センサ回路１６により測定された温度情報は、ロジック回路１８を介して、不揮発性メモリ１４に書き込まれる。不揮発性メモリ１４は、半導体製造工場で書き込まれる固有ＩＤ（ＵＩＤ）領域の他に、無線タグが付けられている物品の固有情報（例えば食料品の場合、産地、生産者名、出荷日等）を書き込む固有領域と、流通・物流過程で測定される食料品の温度を記録する温度管理領域を有している。物品の固有情報は、リーダ・ライタ３００から書き込み指示とともに供給され、不揮発性メモリ１４に書き込まれる。また不揮発性メモリ１４に格納されているデータは、リーダ・ライタ３００により適宜読み出すことができる。
【００３４】
勿論、センサ回路１６は温度センサである必要は無く、３軸センサ、圧力センサ、加速度センサ等の他のセンサであってよい。具体的には、ＲＦＩＤ用チップの置かれた環境を示す何らかの物理的パラメータを検知可能な任意のセンサを、本発明に適用することができる。
【００３５】
図４は、本発明によるＲＦＩＤを用いたデータ測定動作の第１の実施例を示すフローチャートである。図４を用いて、ＲＦＩＤを用いたデータ測定動作の第１の実施例について説明する。この第１の実施例は、センサ付ＲＦＩＤ用チップ２００のロジック回路１８により、センサデータ測定動作と不揮発性メモリ書き込み動作とが同時に行われないように制御が実行される例である。
【００３６】
まずリーダ・ライタ３００からタグ（センサ付ＲＦＩＤ用チップ２００及びアンテナコイル１００）にセンサリードコマンドが供給される。センサリードコマンドはデータ復調回路２４により復調され（Ｓ１）、復調後のデータがロジック回路１８のデータ処理回路４３により論理処理される（Ｓ２）。データ処理回路４３によるセンサリードコマンドの論理処理結果（デコード処理結果）は制御回路４１に供給され、これに応じて、制御回路４１が各部を制御してセンサリード処理を実行する。
【００３７】
まずセンサ回路１６が駆動され、センサ回路１６によるデータ測定動作が実行される（Ｓ３）。センサ回路１６が測定したデータはロジック回路１８のセンサＩＦ回路４５を介してデータ処理回路４３に供給される。測定データは、所定のデータ処理により所定の形式の測定データに変換されるとともに、データ処理回路４３に一時的に保持される（Ｓ４）。
【００３８】
センサ回路１６による測定動作が終了すると、センサ回路１６の動作停止後に、不揮発性メモリ１４に対する測定データの書き込み処理を実行する（Ｓ５）。具体的には、データ処理回路４３に一時的に保持されている測定データを、メモリＩＦ回路４４を介して不揮発性メモリ１４に転送するとともに、ロジック回路１８からメモリ書き込み指示を不揮発性メモリ１４に与えることで、不揮発性メモリ１４に対する測定データ書き込みが実行される。
【００３９】
その後、データ処理回路４３に一時的に保持されている測定データは更に、入出力回路４２を介してデータ変調回路２６に供給され、データ変調回路２６により変調処理が施される（Ｓ６）。変調された測定データは、アンテナコイル１００を介してリーダ・ライタ３００に送信される。
【００４０】
上記データ測定動作において、ロジック回路１８は、データ測定コマンドを受信・検出するために必要な回路であり、平滑キャパシタＣ２から供給される電力で動作する。この際、平滑キャパシタＣ３から供給される電力で動作するセンサ回路１６や不揮発性メモリ１４の動作電圧より低い電圧で動作できるように設計されている。電源制御回路３０は、擬似負荷として機能するデジタルボリュームや、負荷の変動に応じた電圧制御をするシリ−ズレギュレータ等を備え、これらのデジタルボリュームやシリ−ズレギュレータ等の働きにより、一定の直流電圧を負荷に供給するように機能する。
【００４１】
ロジック回路１８は、センサ回路１６の動作開始より前に動作を開始して、電源制御回路３０により所定の電圧になるよう制御された平滑キャパシタＣ２の電力で駆動される。電源制御回路３０は、センサ回路１６の動作用として、ロジック回路１８の動作電圧より高い所定の電圧を平滑キャパシタＣ３に確保する。ロジック回路１８からセンサ動作（データ測定動作）開始要求が出されると、センサ回路１６は、電源制御回路３０により所定の電圧になるよう制御された平滑キャパシタＣ３の電力で動作して、データを測定する。次にロジック回路１８からデータ書き込み要求が出されると、不揮発性メモリ１４が、電源制御回路３０により所定の電圧になるよう制御された平滑キャパシタＣ３の電力で動作して、ロジック回路１８から供給されたデータを格納する。
【００４２】
一般的に、センサ回路１６が設けられていないセンサ付ＲＦＩＤ用チップにおいては、不揮発性メモリ１４への書き込みに必要な消費電力が一番大きい。従って、不揮発性メモリ１４への書き込みの消費電力の大きさが、センサ付ＲＦＩＤ用チップの通信距離を決定する要素となる。これを鑑みると、センサ回路１６の動作に必要な消費電力については、不揮発性メモリ１４の消費電力と同等若しくはそれ以下に設定し、センサ回路１６と不揮発性メモリ１４の動作が時間的に重ならないように動作制御すれば、通信距離性能を劣化させること無く、センサ回路１６を内蔵したセンサ付ＲＦＩＤ用チップを提供することができる。
【００４３】
上記第１の実施例においては、センサ付ＲＦＩＤ用チップ２００のロジック回路１８がセンサ回路１６のセンシング動作及び不揮発性メモリ１４の書き込み動作を制御して、これらの動作が互いに時間的に重ならないようにしている。従って、センサ回路１６が設けられていない場合と比較して、通信距離を落とすことなく、センサ機能をセンサ付ＲＦＩＤ用チップに内蔵することができる。
【００４４】
図５は、本発明によるＲＦＩＤを用いたデータ測定動作の第２の実施例を示すフローチャートである。図５を用いて、ＲＦＩＤを用いたデータ測定動作の第２の実施例について説明する。この第２の実施例は、リーダ・ライタ３００により、センサデータ測定動作と不揮発性メモリ書き込み動作とが同時に行われないように制御が実行される例である。
【００４５】
まずリーダ・ライタ３００からタグ（センサ付ＲＦＩＤ用チップ２００及びアンテナコイル１００）にセンサリードコマンドが供給される。センサリードコマンドはデータ復調回路２４により復調され（Ｓ１）、復調後のデータがロジック回路１８のデータ処理回路４３により論理処理される（Ｓ２）。データ処理回路４３によるセンサリードコマンドの論理処理結果（デコード処理結果）は制御回路４１に供給され、これに応じて、制御回路４１が各部を制御してセンサリード処理を実行する。
【００４６】
まずセンサ回路１６が駆動され、センサ回路１６によるデータ測定動作が実行される（Ｓ３）。センサ回路１６が測定したデータはロジック回路１８のセンサＩＦ回路４５を介してデータ処理回路４３に供給される。測定データは、所定のデータ処理により所定の形式の測定データに変換されるとともに、データ処理回路４３に一時的に保持される（Ｓ４）。
【００４７】
データ処理回路４３に一時的に保持されている測定データは更に、入出力回路４２を介してデータ変調回路２６に供給され、データ変調回路２６により変調処理が施される（Ｓ５）。変調された測定データは、アンテナコイル１００を介してリーダ・ライタ３００に送信される。
【００４８】
リーダ・ライタ３００は、測定データをセンサ付ＲＦＩＤ用チップ２００から受け取った後、センサ付ＲＦＩＤ用チップ２００に対してライトコマンドを送信する。ライトコマンドはデータ復調回路２４により復調され（Ｓ６）、復調後のデータがロジック回路１８のデータ処理回路４３により論理処理される（Ｓ７）。データ処理回路４３によるライトコマンドの論理処理結果（デコード処理結果）は制御回路４１に供給され、これに応じて、制御回路４１が各部を制御してライト処理を実行する。
【００４９】
ライト処理においては、まず、不揮発性メモリ１４に対する測定データの書き込み処理を実行する（Ｓ８）。具体的には、上記センサリード処理によりデータ処理回路４３に一時的に保持されている測定データを、メモリＩＦ回路４４を介して不揮発性メモリ１４に転送するとともに、ロジック回路１８からメモリ書き込み指示を不揮発性メモリ１４に与えることで、不揮発性メモリ１４に対する測定データ書き込みが実行される。或いは、上記センサリード処理によりリーダ・ライタ３００が取得した測定データを、上記ライトコマンドとともにセンサ付ＲＦＩＤ用チップ２００に転送し、この転送されたデータを不揮発性メモリ１４に書き込むようにしてもよい。
【００５０】
その後、データ処理回路４３に一時的に保持されている測定データは、必要に応じて所定のデータ処理に供され（Ｓ９）、入出力回路４２を介してデータ変調回路２６に供給され、データ変調回路２６により変調処理が施される（Ｓ１０）。変調された測定データは、アンテナコイル１００を介してリーダ・ライタ３００に送信される。
【００５１】
上記データ測定・メモリ書き込み動作において、センサ回路１６の動作に必要な消費電力については、不揮発性メモリ１４の消費電力と同等若しくはそれ以下に設定することが望ましい。この第２の実施例においては、リーダ・ライタ３００がセンサ回路１６のセンシング動作及び不揮発性メモリ１４の書き込み動作を制御して、これらの動作が互いに時間的に重ならないようにしている。従って、センサ回路１６が設けられていない場合と比較して通信距離を落とすことなく、センサ機能をセンサ付ＲＦＩＤ用チップに内蔵することができる。
【００５２】
以上、本発明を実施例に基づいて説明したが、本発明は上記実施例に限定されるものではなく、特許請求の範囲に記載の範囲内で様々な変形が可能である。
【００５３】
なお本発明は、以下の内容を含むものである。
（付記１）
アンテナに結合され該アンテナからの交流電圧を直流電圧に変換するよう機能する整流回路と、
該整流回路に結合され該直流電圧で動作する不揮発性メモリと、
該整流回路に結合され該直流電圧で動作し所定のデータを測定するセンサ回路と、
該不揮発性メモリのアクセス動作と該センサ回路のデータ測定動作とが同時に実行されないように該不揮発性メモリと該センサ回路とを制御するロジック回路
を含むことを特徴とする集積回路チップ。
（付記２）
該不揮発性メモリの該アクセス動作は該不揮発性メモリに対するデータ書き込み動作であることを特徴とする付記１記載の集積回路チップ。
（付記３）
該ロジック回路は、該アンテナから受信した所定のコマンドに応答して、該センサ回路に該データ測定動作を実行させ、該データ測定動作が終了した後に、該不揮発性メモリに該データ測定動作により得られた測定データを書き込む該アクセス動作を実行することを特徴とする付記２記載の集積回路チップ。
（付記４）
該ロジック回路は、該データ測定動作により得られた該測定データを一時的に保持するレジスタを含むことを特徴とする付記３記載の集積回路チップ。
（付記５）
該センサ回路が該データ測定動作を実行することにより消費する電力は該不揮発性メモリが該アクセス動作を実行することにより消費する電力よりも小さいことを特徴とする付記１記載の集積回路チップ。
（付記６）
電波を送受信するリーダ・ライタと、
該リーダ・ライタと該電波を介して通信するＩＣタグ
を含み、該ＩＣタグは、
アンテナと、
該アンテナに結合され該アンテナが受信した該電波の交流電圧を直流電圧に変換するよう機能する整流回路と、
該整流回路に結合され該直流電圧で動作する不揮発性メモリと、
該整流回路に結合され該直流電圧で動作し所定のデータを測定するセンサ回路
を含み、該不揮発性メモリのアクセス動作と該センサ回路のデータ測定動作とが同時に実行されないように制御されることを特徴とするＲＦＩＤシステム。
（付記７）
該リーダ・ライタは、第１の所定のコマンドを該ＩＣタグに送信して該センサ回路に該データ測定動作を実行させ、該データ測定動作が終了した後に、第２の所定のコマンドを該ＩＣタグに送信して該不揮発性メモリに該データ測定動作により得られた測定データを書き込む該アクセス動作を実行させることを特徴とする付記６記載のＲＦＩＤシステム。（付記８）
リーダ・ライタとの間で電波を送受信するＩＣタグにおいて、
アンテナと、
該アンテナに結合され該アンテナが受信した該電波の交流電圧を直流電圧に変換するよう機能する整流回路と、
該整流回路に結合され該直流電圧で動作する不揮発性メモリと、
該整流回路に結合され該直流電圧で動作し所定のデータを測定するセンサ回路
を含み、該不揮発性メモリのアクセス動作と該センサ回路のデータ測定動作とが同時に実行されないように制御されることを特徴とするＩＣタグ。
（付記９）
該不揮発性メモリの該アクセス動作は該不揮発性メモリに対するデータ書き込み動作であることを特徴とする付記８記載のＩＣタグ。
（付記１０）
該ロジック回路は、該データ測定動作により得られた該測定データを一時的に保持するレジスタを含むことを特徴とする付記９記載のＩＣタグ。
（付記１１）
該センサ回路が該データ測定動作を実行することにより消費する電力は該不揮発性メモリが該アクセス動作を実行することにより消費する電力よりも小さいことを特徴とする付記６記載のＲＦＩＤシステム。
【図面の簡単な説明】
【００５４】
【図１】ＲＦＩＤシステムの構成例及びセンサ付ＲＦＩＤ用チップの構成の一例を示す図である。
【図２】ロジック回路の構成の一例を示す構成図である。
【図３】リーダ・ライタの構成の一例を示す構成図である。
【図４】本発明によるＲＦＩＤを用いたデータ測定動作の第１の実施例を示すフローチャートである。
【図５】本発明によるＲＦＩＤを用いたデータ測定動作の第２の実施例を示すフローチャートである。
【符号の説明】
【００５５】
１０  アンテナ端子
１２  整流回路
１４  不揮発性メモリ
１６  センサ回路
１８  ロジック回路
２２  データ制御回路
３０  電源制御回路
１００  アンテナコイル
２００  センサ付ＲＦＩＤ用チップ
３００  リーダ・ライタ３００
【図１】
2007122600.tif 000003
【図２】
2007122600.tif 000004
【図３】
2007122600.tif 000005
【図４】
2007122600.tif 000006
【図５】
2007122600.tif 000007